(57)【要約】【課題】  指先部分を補強しつつ、作業性を向上させるとともに、作業時の感覚を損なわず、美観性も向上させた作業用手袋を提供することを目的とする。【解決手段】  手の平側を覆うための手の平側基材１０および手の平側指部１１〜１５と、手の甲側を覆うための手の甲側基材２０および手の甲側指部２１〜２５とから作業用手袋１であって、前記手の平側指部１２の先端部を覆う補強材４０を有し、補強材４０は、手の平側指部１２の内面側に縫合されていることを特徴とする。【選択図】      図２
2006045689.tif 000002
【特許請求の範囲】
【請求項１】
手の平側を覆うための手の平側基材および手の平側指部と、手の甲側を覆うための手の甲側基材および手の甲側指部とから形成される作業用手袋であって、前記手の平側指部の先端部を覆う補強材を有し、前記補強材は、前記手の平側指部の内面側に縫合されていることを特徴とする作業用手袋。
【請求項２】
前記補強材は、前記手の平側指部の人差し指および中指にのみ縫合されていることを特徴とする請求項１に記載の作業用手袋。
【発明の詳細な説明】
【技術分野】
【０００１】
本発明は、作業用手袋に関するものである。
【背景技術】
【０００２】
作業用手袋は、作業中に作業者の手を保護したり、被取扱物が汚れたりすることを防止するために用いられる。図３は、従来の作業用手袋であり、（ａ）は手の平側を示す底面図、（ｂ）は手の甲側を示す平面図である。従来、図３に示すように、作業用手袋１００は、手の平側を覆う手の平側基材１１０と手の平側指部１１１〜１１５と（図３（ａ）参照）、手の甲側を覆う手の甲側基材１２０と手の甲側指部１２１〜１２５と（図３（ｂ）参照）を縫合して形成されていた。また、手の平側指部１１１〜１１５の先端部は磨耗により特に劣化しやすく、穴が開いたりしやすいため、手の平側指部１１１〜１１５の先端部から手の甲側指部１２１〜１２５の先端部の外面側を覆うように、補強材１３１〜１３５を縫合していた。
【特許文献１】特開２０００−１２９５１８号公報（段落０００７、図１）
【発明の開示】
【発明が解決しようとする課題】
【０００３】
しかしながら、このような作業用手袋１００は、手の平側指部１１１〜１１５と補強材１３１〜１３５の間に段差が生じ、作業中に被取扱物等を引っ掛け易いことから作業性が悪いという問題があった。また、補強材１３１〜１３５が、手の平側指部１１１〜１１５の外面側に部分的に縫合されていることから、補強材１３１〜１３５が手の平側指部１１１〜１１５と擦れ合い、手の平側指部１１１〜１１５との間に部分的な位置ずれを生じるため、指先を使う細かい作業時の微妙な感覚が伝わりにくいという問題があった。この作業時感覚の伝達性の悪さは、補強材１３１〜１３５が手の平側指部１１１〜１１５の外面側で位置ずれを起こすことに起因すると考えられる。さらに、補強材１３１〜１３５が外面側に縫合されているので、縫い代等が露出し、美観性も悪いという問題があった。
【０００４】
そこで、本発明は前記問題を解決すべくなされたものであり、指先部分を補強しつつ、作業性を向上させるとともに、作業時の感覚を損なわず、美観性も向上させた作業用手袋を提供することを目的とする。
【課題を解決するための手段】
【０００５】
前記課題を解決するため、本発明に係る請求項１に係る発明は、手の平側を覆うための手の平側基材および手の平側指部と、手の甲側を覆うための手の甲側基材および手の甲側指部とから形成される作業用手袋であって、前記手の平側指部の先端部を覆う補強材を有し、前記補強材は、前記手の平側指部の内面側に縫合されていることを特徴とする。
【０００６】
請求項１に係る発明によれば、手の平側指部の先端部を覆う補強材が内面側に縫合されていることから、外面側に段差を生ずること無く、手の平側指部の先端部を補強することができる。つまり、補強材が縫合されていることで、手の平側指部の先端部に穴が開いても直ぐ指が露出することがない。また、部品等を把持する作業時、補強材が手の平側指部との間で擦れ合って位置ずれを起こしても、それは内面側で滑っているだけであり、手の平指部の外面側と被取扱物の相対的位置関係の感覚はそのまま作業者に伝えられる。そのため、作業時の感覚が従来よりも作業者に伝わり易い。さらに、補強材を内面側に縫合したことで、外面側の美観性を向上させることができる。
【０００７】
請求項２に係る発明は、請求項１に記載の作業用手袋において、前記補強材は、前記手の平側指部の人差し指および中指にのみ縫合されていることを特徴とする。
【０００８】
請求項２に係る発明は、請求項１に係る発明による作用に加え、使用頻度が高く、磨耗し易い手の平側指部の人差し指および中指のみに補強材を縫合するため、効率的な補強をすることができる。また、他の指においては、補強材を介さないことで、作業時の感覚が伝わりやすくなっている。
【発明の効果】
【０００９】
請求項１に係る発明によれば、補強材による段差を外面側に生じないことから、作業時において、部品を引っ掛けたりするようなことがなく、作業性を向上させることができる。また、外面側で位置ずれを起こさないため、作業時の感覚が従来よりも伝わり易い。さらに、補強材が内面側に縫合されており、外面側をすっきりしたデザインにできるため、美観性を向上させることができる。そして、指先部分に補強材を縫合するだけで補強ができるので、安価に製造できるとともに、作業用手袋自体の長寿命化を図ることができる。
【００１０】
請求項２に係る発明によれば、請求項１に係る発明による効果に加え、使用頻度が高く、磨耗し易い手の平側指部の人差し指および中指のみに補強材を縫合するため、効率的な補強をすることができる。また、他の指においては、補強材を介さないことで、作業時の感覚が伝わりやすい。
【発明を実施するための最良の形態】
【００１１】
次に、本発明の実施形態について、適宜図面を参照しながら詳細に説明する。図１は、本実施形態に係る作業用手袋であり、（ａ）は手の平側を示す底面図、（ｂ）は手の甲側を示す平面図ある。
【００１２】
図１に示すように、作業用手袋１は、手の平側を覆う手の平側基材１０および手の平側指部１１〜１５と（図１（ａ）参照）、手の甲側を覆う手の甲側基材２０および手の甲側指部２１〜２５と（図１（ｂ）参照）、手首を覆う手首部３０と、手の平側の指先を覆う補強材４０（図２参照）を縫合して形成される。
【００１３】
手の平を覆う手の平側基材１０と、手の平側の指の基端部から先端部までを覆う手の平側指部１２〜１５とは、一体に形成されるものである。一方、親指を覆う手の平側指部１１は、手の平側に折り曲げ易いように、親指の基端部近傍に接合される接合部１１ａを介して手の平側基材１０に縫合されている。
【００１４】
手の平側基材１０および手の平側指部１２，１５の幅方向両端に当たる部分、つまり、人差し指の外側１２ａと小指の外側１５ａに相当する部分は（図１（ｂ）参照）、手指の厚みに応じて手の平側から手の甲側を少し覆うように若干幅広に形成されている。
【００１５】
人差し指を覆う手の平側指部１２と、小指を覆う手の平側指部１５の内側には、各指に適度にフィットするよう立体的にするために、手の平側から手の甲側を少し覆うように指厚部１２ｂおよび指厚部１５ｂが縫合（立体縫製）されている。それと同様に、中指を覆う手の平側指部１３と薬指を覆う手の平側指部１４の両側には、手の平側から手の甲側を覆うように指厚部１３ａ，１３ａ，１４ａ，１４ａが縫合されている。手の平側基材１０、手の平側指部１１〜１５、指厚部１３ａ，１４ａ、後に説明する手の甲側指部２１および手の甲側指先部２２ａ〜２５ａは、工具や各部品等被取扱物を把持したり、取り扱ったりする部分であるため、滑り止め効果を有するポリウレタン樹脂等の材質から形成する。
【００１６】
手の甲を覆う手の甲側基材２０と、手の甲側の指の基端部から第２関節近傍までを覆う手の甲側指部２２〜２５とは、一体に形成されるものである。一方、手の甲側指部２１は、親指を覆う手の甲側指部２１は、手の平側指部１１と重ね合わせられて、手の平側基材１０および手の平側指部１１に縫合されている。
【００１７】
図１（ｂ）に示すように、手の甲側基材２０および手の甲側指部２２〜２５の幅方向両端に当たる部分、つまり、人差し指の外側２２ｂと小指の外側２５ｂは、手の甲側まで覆うように形成された前記手の平側の人差し指の外側１２ａと小指の外側１５ａにそれぞれ縫合されるため、手の甲の幅より若干狭く形成されている。また、手の甲側指部２２〜２５には、手の甲側の指先を覆う手の甲側指先部２２ａ〜２５ａが縫合されている。なお、手の甲側基材２０および手の甲側指部２２〜２５は、作業用手袋１の内部の通気性を向上させるため、綿メリヤス等の材質から形成し、手の甲側指先部２２ａ〜２５ａは、作業性のため前記したポリウレタン樹脂等の材質から形成する。
【００１８】
そして、人差し指の手の平側を覆う手の平側指部１２および指厚部１２ｂと、手の甲側を覆う手の甲側指部２２および手の甲側指先部２２ａとをそれぞれ縫合して人差し指を覆う指袋５２を形成する。同様にして、親指を覆う手の平側指部１１と手の甲側指部２１は指袋５１を、中指を覆う手の平側指部１３および指厚部１３ａ，１３ａと、手の甲側指部２３および手の甲側指先部２３ａは指袋５３を、薬指を覆う手の平側指部１４および指厚部１４ａ，１４ａと、手の甲側指部２４および手の甲側指先部２４ａ，２４ａは指袋５４を、小指を覆う手の平側指部１５および指厚部１５ｂと、手の甲側指部２５および手の甲側指先部２５ａは指袋５５を、それぞれ縫合により形成する。
【００１９】
手首部３０は、パイル地またはタオル地等の吸湿性および伸縮性に優れた材質で形成される。図１（ｂ）に示すように、手首部３０は、手首の周囲を覆う本体部３１の一部に切込部３２が形成されており、この切込部３２の近傍に長尺状の調整部３３の一端が縫合されている。調整部３３の他端は、切込部３２を介して反対側の本体部３１に掛け渡されるようになっており、調整部３３の他端と本体部３１には、互いに対向する面に面ファスナ３４,３４が縫合されている。調整部３３を引っ張ったり、緩めたりしながら面ファスナ３４，３４を合わせることで、各作業者の手首にフィットするように、手首部３０の手首周りの太さを調整することができる。
【００２０】
図２は、本実施形態に係る作業用手袋であり、（ａ）は図１に示す作業用手袋のＡ−Ａ線断面図（人差し指の指袋の断面図）、（ｂ）は人差し指の指袋を裏返しにした状態を示す斜視図である。
図２に示すように、補強材４０は、人差し指を覆う手の平側指部１２の内面側に縫合されている。補強材４０は、指先から第２関節までの長さを有し、手の平側指部１２の先端部を覆うようになっている。補強材４０は、手の平側指部１２等の補強をするものであり、手の平側指部１２と同様のポリウレタン樹脂等の材質から形成される。なお、図は省略するが、この補強材４０は、中指を覆う手の平側指部１３の内面側にも同様に縫合されている。
【００２１】
以上によれば、本実施形態に係る作業用手袋１において、以下の効果を得ることができる。
本実施形態に係る作業用手袋１によれば、手の平側指部１２の先端部を覆う補強材４０が内面側に縫合されていることから、従来のように、外面側に縫合された補強材による段差が形成されない。そのため、工具、部品等の被取扱物を段差に引っ掛けたりすることがなく、作業性を向上させることができる。
【００２２】
また、工具、部品等被取扱物を把持する作業時、補強材４０が手の平側指部１２，１３との間で擦れ合って位置ずれを起こしても、それは内面側で滑っているだけであり、手の平側指部１２，１３の外面側と被取扱物の相対的位置関係の感覚はそのまま作業者に伝えられる。そのため、作業時の感覚が、補強材を外面側に縫合していた従来よりも、作業者に伝わり易い。
【００２３】
さらに、補強材４０を内面側に縫合したことで、外面側をすっきりとしたデザインにでき、その美観性を向上させることができる。
【００２４】
また、使用頻度が高く、磨耗し易い手の平側指部１２，１３（人差し指および中指）のみに補強材４０を縫合するため、効率的な補強をすることができる。また、他の指においては、補強材を介さないことで、作業時の感覚が伝わりやすくなっている。
【００２５】
そして、従来の作業用手袋は、全体的には劣化していなくても、指先部分が磨耗などにより破けてしまうため交換するものであったが、本実施形態に係る作業用手袋１では、手の平側指部１２，１３が磨耗して破けても、補強材４０がその内面側に縫合してあるので、その補強材４０が破けるまで使用を継続することができる。つまり、補強材４０を縫合することで、従来よりも寿命を延ばすことができる。また、作業用手袋１は、補強のため、補強材４０を縫合するだけなので、安価に製造することができる。
【００２６】
以上、本実施形態について説明したが、本発明は前記実施形態に限定されるものではなく、本発明の主旨を逸脱しない範囲で適宜設計変更することが可能である。例えば、各部材の材質は特に限定されるものではなく、適宜変更して実施することができる。
【図面の簡単な説明】
【００２７】
【図１】本実施形態に係る作業用手袋であり、（ａ）は手の平側を示す底面図、（ｂ）は手の甲側を示す平面図ある。
【図２】本実施形態に係る作業用手袋であり、（ａ）は図１に示す作業用手袋のＡ−Ａ線断面図（人差し指の指袋の断面図）、（ｂ）は人差し指の指袋を裏返しにした状態を示す斜視図である。
【図３】図３は、従来の作業用手袋であり、（ａ）は手の平側を示す底面図、（ｂ）は手の甲側を示す平面図である。
【符号の説明】
【００２８】
１      作業用手袋
１０    手の平側基材
１１〜１５  手の平側指部
２０    手の甲側基材
２１〜２５  手の甲側指部
３０    手首部
４０    補強材
【図１】
2006045689.tif 000003
【図２】
2006045689.tif 000004
【図３】
2006045689.tif 000005